【手続補正書】
【提出日】平成31年4月17日(2019.4.17)
【手続補正１】
【補正対象書類名】特許請求の範囲
【補正対象項目名】全文
【補正方法】変更
【補正の内容】
【特許請求の範囲】
【請求項１】
標的組織（１０６）との、複数の体内型電極（１０３）を含む体内プローブ（１１１、１１２）の接触品質を特徴付ける方法において、
複数の電気回路を使用して、前記体内型電極（１０３）のそれぞれの電極環境の誘電特性を測定することであって、それぞれの電気回路は、前記標的組織（１０６）が前記電気回路に含まれるように、体内配置の前記体内型電極（１０３）のうちの１つにより画定される、測定することと、
前記プローブ（１１１、１１２）と前記標的組織（１０６）との接触を特徴付けることとを含み、
電場（１０４）が、各体内型電極（１０３）と、前記体内型電極（１０３）の別の１つ又は遠隔に位置する電極（１０５）との間に生成され、
前記誘電特性が、複数の電場周波数で測定された誘電特性を含むことを特徴とする方法。
【請求項２】
請求項１に記載の方法において、
前記接触の特徴付けは、前記測定された誘電特性を、マッピング値にマッピングすることを含み、前記マッピング値は、接触品質を特徴付けるインデックスを含むことを特徴とする方法。 
【請求項３】
請求項１に記載の方法において、
前記接触の特徴付けは、前記測定された誘電特性を、前記接触品質を特徴付ける値の範囲内のマッピング値にマッピングすることを含み、前記マッピング値は、前記標的組織（１０６）との前記体内プローブ（１１１、１１２）の接触力が前記マッピング値で表されるような等価接触力を表すことを特徴とする方法。
【請求項４】
請求項１に記載の方法において、
前記接触品質を特徴付ける値の範囲は、少なくとも４つの可能な値を含むことを特徴とする方法。
【請求項５】
請求項１乃至３の何れか一項に記載の方法において、
前記体内プローブは、前記標的組織を焼灼するように構成された焼灼電極を含むことを特徴とする方法。
【請求項６】
請求項５に記載の方法において、
前記焼灼電極は、前記電気回路を定義する前記電極を含むことを特徴とする方法。
【請求項７】
請求項５又は６に記載の方法において、
前記特徴付けることは、前記焼灼電極による有効なリージョン形成への接触の十分性を評価することを含むことを特徴とする方法。
【請求項８】
請求項７に記載の方法において、
有効なリージョン形成への接触の前記十分性を示すユーザフィードバックを提供することを含むことを特徴とする方法。
【請求項９】
請求項５乃至８の何れか一項に記載の方法において、
前記焼灼電極は、熱焼灼、凍結焼灼、ＲＦ焼灼、電気穿孔焼灼、及び／又は超音波焼灼からなる群のうちの少なくとも１つにより、前記標的組織にリージョンを形成するように構成されることを特徴とする方法。
【請求項１０】
請求項１に記載の方法において、
前記接触の特徴付けに基づいて焼灼電極を動作させることを含むことを特徴とする方法。
【請求項１１】
請求項１０に記載の方法において、
前記焼灼電極の前記動作は、前記特徴付けられた接触が所定の範囲内にある場合のみ行われるようにゲーティングされることを特徴とする方法。
【請求項１２】
請求項１０又は１１に記載の方法において、
前記接触を特徴付けることは、前記焼灼電極の動作中に繰り返し実行されることを特徴とする方法。
【請求項１３】
請求項１０乃至１２の何れか一項に記載の方法において、
前記焼灼電極の前記動作は、焼灼電力、焼灼の持続時間、電極の選択、及び焼灼エネルギーの周波数のうちの少なくとも１つが、推定接触力に基づいて選択されるように、前記特徴付けられた接触の前記推定接触力に基づくことを特徴とする方法。
【請求項１４】
請求項１乃至１０の何れか一項に記載の方法において、
前記特徴付けることは、前記標的組織（１０６）の表面との前記プローブ（１１１、１１２）の等価接触力の推定を含むことを特徴とする方法。
【請求項１５】
請求項１４に記載の方法において、
等価接触力の前記推定は実質的に、前記プローブ（１１１、１１２）と前記標的組織（１０６）の前記表面との接触の角度から独立していることを特徴とする方法。
【請求項１６】
請求項１乃至１５の何れか一項に記載の方法において、
前記特徴付けることは、前記プローブによる前記標的組織の穿孔リスクを評価することを含むことを特徴とする方法。
【請求項１７】
請求項１６に記載の方法において、
前記穿孔リスクを示すユーザフィードバックを提供することを含むことを特徴とする方法。
【請求項１８】
請求項１乃至１７の何れか一項に記載の方法において、
前記接触の前記特徴付けに基づいて、自動制御下で前記プローブを動かすことを含むことを特徴とする方法。 
【請求項１９】
請求項１乃至１８の何れか一項に記載の方法において、
前記標的組織（１０６）は心臓組織を含むことを特徴とする方法。
【請求項２０】
請求項１乃至１８の何れか一項に記載の方法において、
前記標的組織（１０６）は、右心房の心臓組織を含むことを特徴とする方法。
【請求項２１】
請求項１乃至２０の何れか一項に記載の方法において、
前記体内プローブ（１１１、１１２）は、前記標的組織（１０６）との複数の同時接触を行い、前記特徴付けることは、前記複数の同時接触のそれぞれを別個に特徴付けることを含むことを特徴とする方法。
【請求項２２】
請求項２１に記載の方法において、
前記体内プローブは焼灼電極を含み、前記方法は、接触の対応する特徴付けに基づいて、別個の制御下で前記複数の同時接触のそれぞれで焼灼するように前記焼灼電極を動作させることを含むことを特徴とする方法。
【請求項２３】
請求項２２に記載の方法において、
前記別個の制御は、前記複数の同時接触のそれぞれへの周波数、位相、又は焼灼電力レベルのうちの別個に選択される少なくとも１つを送達することを含むことを特徴とする方法。
【請求項２４】
請求項２２に記載の方法において、
前記別個の制御は、前記複数の同時接触のそれぞれへの焼灼電力の送達の別個に選択されるタイミングを含むことを特徴とする方法。
【請求項２５】
請求項１乃至２４の何れか一項に記載の方法において、
前記接触の特徴付けは、測定された誘電特性を前記標的組織（１０６）との接触の特徴付けにマッピングするデータ構造に基づくことを特徴とする方法。
【請求項２６】
請求項２５に記載の方法において、
前記接触の特徴付けは、前記体内プローブ（１１１）を用いての前記組織の穿孔リスク、前記体内プローブ（１１１）により前記組織に与えられる接触力の推定、及び／又は前記体内プローブ（１１１）を使用した信頼性の高い焼灼に適切な接触の評価からなる群からの少なくとも１つを含むことを特徴とする方法。
【請求項２７】
請求項２５に記載の方法において、
前記データ構造は、前記測定された誘電特性に適用可能であり、前記標的組織（１０６）との前記接触の特徴付けに変換する機械学習関連付けを含むことを特徴とする方法。
【請求項２８】
請求項１乃至２７の何れか一項に記載の方法において、
前記誘電特性は、複数の電場周波数で測定された誘電特性を含むことを特徴とする方法。
【請求項２９】
請求項１乃至２８の何れか一項に記載の方法において、
前記電場周波数は、約５ｋＨｚ〜約２０ｋＨｚの範囲であることを特徴とする方法。
【請求項３０】
標的組織（１０６）との体内焼灼プローブ（１１１、１１２）の誘電接触品質に基づいて前記標的組織を焼灼するデバイスにおいて、
複数の電極（１０３）を含む前記体内焼灼プローブ（１１１、１１２）と、
前記電極（１０３）により検知される信号に基づいて、前記複数の電極（１０３）のそれぞれの環境での誘電特性を測定するように構成される電場測定デバイス（１０１Ｂ）と、
前記電場測定デバイス（１０１Ｂ）により測定される前記誘電特性に基づいて、前記体内焼灼プローブ（１１１、１１２）と前記標的組織（１０６）との接触を特徴付けるように構成される接触特徴付けモジュール（１２０Ｂ）と、
を備え、
前記デバイスは、各電極（１０３）と、前記電極（１０３）の別の１つ又は遠隔に位置する電極（１０５）との間に電場（１０４）を生成するように構成され、
前記誘電特性が、複数の電場周波数で測定された誘電特性を含むことを特徴とするデバイス。
【請求項３１】
請求項３０に記載のデバイスにおいて、
前記接触特徴付けモジュールは、前記誘電特性を接触の特徴付けにマッピングするデータ構造（１３０）を含むことを特徴とするデバイス。
【請求項３２】
請求項３０に記載のデバイスにおいて、
接触力の推定として、前記特徴付けられた接触を表示するように構成されるディスプレイを備えることを特徴とするデバイス。
【請求項３３】
請求項３０に記載のデバイスにおいて、
前記電場測定デバイス（１０１Ｂ）は、前記複数の電極（１０３）を備えることを特徴とするデバイス。